(57)【特許請求の範囲】
【請求項１】
軸本体に筆記体と入力ペンが出没可能に配置された入力ペン内蔵筆記具であって、前記入力ペンを連結軸とその連結軸に着脱自在に装着されるペン先とから構成すると共に、そのペン先の前部と後部の硬度、或いは、太さを異ならせ、また、前記連結軸の中間部側面に窓孔を形成したことを特徴とする入力ペン内蔵筆記具。
【請求項２】
前記ペン先を前部と後部の２部品から構成し、その一方の部品を連結部材に固定すると共に、他方の部品を弾撥部材によって付勢し配置したことを特徴とする請求項１に記載の入力ペン内蔵筆記具。
【発明の詳細な説明】
【０００１】
【産業上の利用分野】
本発明は、軸本体に筆記体と入力ペンが出没可能に配置された入力ペン内蔵筆記具に関する。
【０００２】
【従来の技術】
最近、国語辞典や英和辞典、百科辞典などを電子データとして格納すると共に、メモなどの文章を入力することができる電子手帳や、パーソナルコンピュータを更に小型化したＰＤＡと称される電子端末が脚光を浴びている。それらの電子端末は、入力用のスイッチ（ボタン）が複数配置されているものや、表示画面上を押圧することによって操作するものが多いが、携帯性を考慮して何れも非常に小さな入力・操作部となっている。それらは、勿論、指で操作することもできるが、小さいが故に操作が難しく、ややもすると他のスイッチも同時に操作してしまう場合があった。そこで、一般的には、入力用の細いペンが付属しており、その入力ペンで押圧・操作することによって文字などを入力したり、検索事項を入力したりしている。
【０００３】
しかし、一般的には、シャープペンシルやボールペンなどの筆記具も携帯している人が多く、この筆記具と前記入力ペンとを所持しなければならず煩わしさがあった。そこで、複合筆記具に入力ペンを内蔵した発明がなされた。その一例が、特開平８−１５６４８８号公報である。
その要旨を、「前軸と、前軸の後部に連結され、かつ後部に長手方向に伸びた摺動溝を複数形成した後軸と、後軸内に摺動溝と同数内蔵され、かつ摺動溝よりノック部が突出し摺動溝内を長手方向に摺動可能な押圧部材と、各押圧部材の前部に連結されたレフィールと、押圧部材を長手方向後方に付勢するスプリングとからなり、レフィールの１本を入力ペンで構成し、その他のレフィールをボールペン等の筆記具で構成し、押圧部材に中心軸方向に行くにしたがって後方に突き出るように傾斜した傾斜内段を形成するとともに、後軸に前端が中心軸方向に行くにしたがって後方に凹むように傾斜した係止突部を形成し、ノック部を長手方向前方に押圧して押圧部材を前進させ、前記傾斜内段が係止突部の前端に当接係止することにより押圧部材が前進位置に係止され、押圧部材の前部に連結されたレフィールの先端が前記前軸の先端開口孔より突出することを特徴とする入力ペン内蔵複合筆記具。」としている。即ち、ボールペンのリフィルを利用して、そのリフィル（樹脂パイプ６Ｂ）の先端に入力部材６Ａを圧入・固定している。
【０００４】
【発明が解決しようとする課題】
前記電子端末のイッチや表示画面は様々なものが存在している。例えば、樹脂や金属で形成されたスイッチや、そのスイッチの上面に薄い軟質樹脂などを被覆したもの、或いは、表示画面上に多数の細い導電線を張り巡らし、その導電線間の通電によってスイッチが入るものなどがある。そして、それらに適した入力ペンが付属されている。即ち、スイッチの表面が硬いものに対しては、入力ペンの硬度も高く、また、表示画面上で操作する製品に対しては柔らかい入力ペンが付属している。
【０００５】
この様な状況下にあって、前記従来技術で示した入力ペン内蔵複合筆記具には、１種類の入力ペンしか内蔵されておらず、その為、使用できる電子端末が限定され、また、適合しない入力ペンを使用してしまうと、高価な電子端末を故障させてしまう危険性があった。
ここで、前記入力ペン内蔵複合筆記具に複数の入力ペンを内蔵させることも考えられるが、本来の筆記具を内蔵させることができなくなってしまうばかりでなく、両者の内蔵（複数の筆記具と複数の入力ペン）を満足させようとすると、リフィルの数が増加すると共に、軸も太くなってしまい、実用性に欠ける商品となってしまっていた。
【０００６】
【課題を解決するための手段】
本発明は、軸本体に筆記体と入力ペンが出没可能に配置された入力ペン内蔵筆記具であって、前記入力ペンを連結軸とその連結軸に着脱自在に装着されるペン先とから構成すると共に、そのペン先の前部と後部の硬度、或いは、太さを異ならせ、また、前記連結軸の中間部側面に窓孔を形成したことを要旨とする。
【０００７】
【実施例】
図１〜図４、図６に１例を示し説明する。芯径、或いは芯色が異なる２種類のシャ−プペンシルと入力ペンが摺動自在に配置されている入力ペン内蔵筆記具であるが、シャープペンシルとボールペン、並びに、入力ペンを配置させても良い。また、２種類の色のボ−ルペンと入力ペンとの組み合わせであっても良い。参照符号１は、軸本体であり、その軸本体１は、前軸２と後軸３とより構成されている。また、本例において、前軸２は、先部材４と中軸５の螺合構造により構成されているが、一体的に形成されていても良い。
前記後軸３には、その長手方向に３個のスリット６が形成されている。本例においては、２個のスリット６が形成されているが、筆記体である２種類のシャ−プペンシルと入力ペンとの３本であるためであり、この筆記体や入力ペンの本数によってスリットの形成する数も変わるものである。また、スリット６は、後軸３の一方の端部まで形成されていると共に、スリット６の両側には、摺動溝７が形成されている。しかし、この摺動溝７は、スリット６の両側の全長に渡って形成されているのではなく、中間部までしか形成されていない。前記後軸３の前方には、脚部８が形成されている。この脚部８は、スリット６が形成されることにより形成される。よって、筆記体の数によって脚部８の数も変わる。また、この脚部８の長さは、同一ではなく異なっている。具体的には、図３中下側の２つの脚８よりも、上方の脚の方が短めに形成されている。これは、後軸３の中軸５への組み立ての容易性を図ったものである。参照符号９は、後軸３の側面に形成されたクリップ部である。
【０００８】
前記後軸３のスリット６には、指が当接する凹凸部１０が形成されたスライダ−（移動部材）１１が摺動自在に配置されているが、このスライダー１１には、継ぎ手２２が連結されている。この継ぎ手２２の長手方向の両側には、摺動突起１２が形成されており、前記スリット６に形成された摺動溝７に摺動自在に係合している。この継ぎ手２２の背面には、間隔をおいて２つの解除突起１３、１４が形成されており、前記継ぎ手２２の前端部には、筆記体や入力ペンを接続する係合部が形成された接続部１５が形成されている。尚、前記スライダー１１と継ぎ手２２は、別部材で構成されているが、入力ペン１７を接続するスライダーに対しては、一体形成しても良い。参照符号１８は、シャ−プペンシル１６、入力ペン１７並びにそれらに接続するスライダー１１を後方に付勢するコイルスプリングなどの弾撥部材である。
前記前軸２の１部材である中軸５の中間部には、規制部１９が形成されており、その規制部１９には、前記シャープペンシルと入力ペンが遊挿する３つの貫通孔１９ａ形成されている。この規制部１９に弾撥部材１８の一端を係止させることにより、筆記体を後方に付勢しているものである。また、中軸５の内側で、規制部１９の後方には、長手方向に３つの溝部２０が形成されており、この溝部２０に前記後軸３の脚部８が摺接され、組み立て時に脚部８が案内されるようになっている。
【０００９】
前記前軸２の１部材である先部材４は、前記中軸５に対して螺合により着脱自在に固定されている。この先部材４と中軸５とを一体的に形成しても良いが、前記シャ−プペンシル１６や入力ペン１７の交換や成形の容易性を考慮すると２部材とし、着脱自在に固定した方が良い。また、先部材４の内側は、湾曲形成されているが、その接線の傾き角度は、筆記体の先端と筆記体の直径部分とを結んだ線の傾き角度よりも小さく設定されている。これは、シャープペンシルなど移動する際、筆記体の先端が先部材４の内壁面に接触しないようにしたものである。最近、透明な軸が流行し、軸内面の汚れを防止したものである。従来のような筆記具にあっては、特に、筆記体がボ−ルペンの場合には、インキが軸内面に付着し、見栄えを悪くしてしまうものであった。
【００１０】
次に前記シャ−プペンシル１６について説明する。金属製のパイプなどからなる外軸（外部材）２１の後方には、継ぎ手２２が圧入されており、その継ぎ手２２は前記スライダー１１に連結している。また、外軸２１の中間部側面には、窓孔２３が形成されている。一方、外軸２１の先端には、中継ぎ部材２４を介して先部材２５が螺合している。そして、これら、外軸２１並びに中継ぎ部材２４、先部材２５の内側には、鉛芯繰り出し機構２６が摺動自在に配置されている。その鉛芯繰り出し機構２６は、芯タンク２７とその芯タンク２７の前方に連結部材２８を介して固定されたチャック体２９並びに、そのチャック体２９の開閉を行なうチャックリング、前記チャック体２９を常に後方に付勢するチャックスプリングなどから構成されている。
【００１１】
次に前記入力ペン１７について説明する。その入力ペン１７は、金属製のパイプからなる連結軸３０と樹脂製のペン先３１から構成されているが、連結軸３０を樹脂で形成し、ペン先３１を金属で形成するなどしても良い。その連結軸３０の後部は、前記スライダー１１に連結しており、また、連結軸３０の中間部側面には、前記外軸２１と同様に窓孔２３が形成されている。一方、連結軸３０の先端には、樹脂材質からなるペン先３１が着脱自在に装着されているが、そのペン先３１は２部品が連結したものとなっている。詳述すると、前部ペン先３１ａは軟質な材質から形成されており、一方、後部ペン先３１ｂは硬質な材質から形成されている。操作する操作部の形状や硬さ、使いやすさによって使い分けるためである。
しかし、前部ペン先と後部ペン先を１部品で形成しても良く、その際には、各々のペン先に硬度差を設けるために、例えば、前部ペン先３１ａに軟質ゴム弾性体を被覆させたり、塗布などの処理を行う。また、前部ペン先３１ａを太く形成する一方、後部ペン先３１ｂを細く形成するなどして、操作部に対する接触力を緩和させるようにしても良い。勿論、ペン先３１の先端部は、細く形成するにしても、太く形成するにしても半球状に形成するのが好ましい。更に、図５に示すように、太く形成した前部ペン先３１ａを連結部材３２に固定すると共に、細く形成した後部ペン先３１ｂをコイルスプリングなどの弾撥部材３３によって付勢し配置しても良い。図示例と付け替えて後部ペン先３１ｂを使用した際、必要以上の押圧操作力がペン先３１ｂに加わると、そのペン先３１ｂが連結部材３２内に没入し、電子端末の操作部の破損が防止されるのである。
以上の例においては、ペン先３１をスリット３４が形成された連結軸３０に着脱自在に装着しているが、この例に限ることなく、例えば、凹凸嵌合によって装着しても良い。
【００１２】
次に使用方法について説明する。例えば、表示画面が操作部となっている電子端末を操作する場合には、軟質な材質で形成されている前部ペン先３１ａが出没するように装着し、また、金属や樹脂などで形成されたスイッチなどを操作する場合には、硬質な材質で形成されている後部ペン先３１ｂが出没するように付け替える。つまり、ペン先３１を長手方向に１８０度回転させ、反対の向きに付け替えるのである。この時、連結軸３０にはスリット３４が形成されているため、容易に開閉し、もって、ペン先３１を容易に着脱することができる。即ち、１本の入力ペンで、硬度の異なる２種類のペン先を装着しているのである。そして、そのペン先は、容易に付け替えることが可能なものとなっているのである。
【００１３】
ペン先３１と連結軸３０の連結手段の変形例を図７に示し説明する。金属製の外部材３５に前部ペン先３１ａと後部ペン先３１ｂを着脱自在に装着すると共に、外部材３５を前記連結軸３０の外周に着脱自在に嵌合させた例である。ペン先を金属製の外部材で被覆することによって、しなりや振れが防止されると共に、見栄えも向上する。尚、本例の前部ペン先３１ａの前方部は視認性の向上を図って円錐部３１ｃが形成されている。
符号３６は、何れの実施例においても、ペン先３１の連結軸３０への没入を防止する円周状の突起であるが、部分的に形成しても良いものである。
【００１４】
【発明の効果】
本発明は、軸本体に筆記体と入力ペンが出没可能に配置された入力ペン内蔵筆記具であって、前記入力ペンを連結軸とその連結軸に着脱自在に装着されるペン先とから構成すると共に、そのペン先の前部と後部の硬度、或いは、太さを異ならせ、また、前記連結軸の中間部側面に窓孔を形成したので、種々の電子端末に対応する入力ペン内蔵筆記具を提供することができる。
【図面の簡単な説明】
【図１】  第１例を示す縦断面図（突出状態）。
【図２】    図１の横断面図（上部）。
【図３】  図１の横断面図（中間部）。
【図４】  図１の側面図（没入状態）。
【図５】  変形例を示す縦断面図。
【図６】  ペン先と連結軸の分解図。
【図７】  更なる変形例を示す要部縦断面図。
【符号の説明】
１            軸本体
２            前軸
３            後軸
４            先部材
４ａ        先端内面
５            中軸
６            スリット
７            摺動溝
７ａ        前端部
８            脚部
９            クリップ部
１０        凹凸部
１１        スライダー
１２        摺動突起
１３        解除突起
１４        解除突起
１５        接続部
１６        シャ−プペンシル（筆記体）
１７        入力ペン
１８        弾撥部材
１９        規制部
１９ａ    貫通孔
２０        溝部
２１        外軸（外部材）
２２        継ぎ手
２３        窓孔
２４        中継ぎ部材
２５        先部材
２６        芯繰り出し機構
２７        芯タンク
２８        連結部材
２９        チャック体
３０        連結軸
３１        ペン先
３１ａ  前部ペン先
３１ｂ  後部ペン先
３２        連結部材
３３        弾撥部材
３４        スリット
３５        外部材
３６        円周凸部
【図１】
0003864838.tif 000002
【図２】
0003864838.tif 000003
【図３】
0003864838.tif 000004
【図４】
0003864838.tif 000005
【図５】
0003864838.tif 000006
【図６】
0003864838.tif 000007
【図７】
0003864838.tif 000008